(57)【要約】【課題】構造物の変位状態の程度に係る情報を、客観的に判断可能な視覚情報として提供することのできる表示装置を提供する。【解決手段】表示装置１０は、構造物としての橋梁５０に配置されている物理量センサーとしての加速度検出器１００から出力された出力信号に基づいて算出された橋梁５０の変位量に基づいて、橋梁５０の変位を視覚的に認識可能な画像情報として表示部１６に表示する。【選択図】図２
2019215203.tif 000002
【特許請求の範囲】
【請求項１】
構造物に配置されている物理量センサーから出力された出力信号に基づいて算出された前記構造物の変位量に基づいて、前記構造物の変位を視覚的に認識可能な画像情報として表示部に表示する、表示装置。
【請求項２】
請求項１において、
前記画像情報は、前記変位量の変化に基づいて変化し、
変化した前記画像情報は、色、ハッチング、線、点、丸、数値、記号、軌跡、グラフ、ヒストグラム、および波形の少なくとも何れかを用いて表示される、表示装置。
【請求項３】
請求項１または２において、
前記構造物の変位量は、前記出力信号に基づいて算出された変位量の相対値である、表示装置。
【請求項４】
請求項１ないし３のいずれか一項において、
前記構造物に係るモデル画像を表示し、
前記画像情報は、前記モデル画像に重ねて、または前記モデル画像と並べて表示されている、表示装置。
【請求項５】
請求項４において、
前記物理量センサーは、複数配置され、
前記画像情報は、前記複数の物理量センサーのうち、隣り合う前記物理量センサー同士を結んでいる線分を複数含む線表示画像である、表示装置。
【請求項６】
請求項５において、
前記線表示画像は、前記表示部に配置されている第１のタグを操作すると、表示角度が変化する、表示装置。
【請求項７】
請求項１ないし６のいずれか一項において、
記憶部を含み、
前記出力信号は、時刻情報と共に、前記記憶部に記録されている、表示装置。
【請求項８】
請求項７において、
前記表示部に表示されている時刻選択用の第２のタグを操作することにより、選択した時刻に応じた前記画像情報が表示される、表示装置。
【請求項９】
請求項１ないし８のいずれか一項において、
前記構造物に配置されている重量測定部が測定した車両の重量に基づいて、予め設定された過積載基準値を超えていると判断した場合、過積載に係る情報を前記表示部に表示する、表示装置。
【請求項１０】
構造物に配置されている物理量センサーから出力された出力信号に基づいて、前記構造物の変位量を算出するステップと、
算出した前記構造物の変位量に基づいて、前記構造物の変位を視覚的に認識可能な画像情報として生成するステップと、
生成した前記画像情報を表示するステップと、
を含む表示方法。
【請求項１１】
請求項１０において、
前記画像情報を生成するステップは、
前記変位量の変化に基づいて変化した画像情報を、色、ハッチング、線、点、丸、数値、記号、軌跡、グラフ、ヒストグラム、および波形の少なくとも何れかを用いて生成する、表示方法。
【請求項１２】
構造物に配置されている物理量センサーから出力された出力信号に基づいて、前記構造物の変位量を算出するステップと、
前記構造物の変位量に基づいて、前記構造物の変位を視覚的に認識可能な画像情報として生成するステップと、
前記画像情報を表示するステップと、
をコンピューターに実行させるプログラム。
【請求項１３】
構造物に配置されている物理量センサーから出力された出力信号に基づいて、前記構造物の変位量を算出するステップと、
前記構造物の変位量に基づいて、前記構造物の変位を視覚的に認識可能な画像情報として生成するステップと、
前記画像情報を表示するステップと、
をコンピューターに実行させるプログラムを記録している記録媒体。
【請求項１４】
構造物に配置されている物理量センサーと、
前記物理量センサーから出力された出力信号に基づいて、前記構造物の変位量を算出する算出部と、
前記構造物の変位量に基づいて、前記構造物の変位を視覚的に認識可能な画像情報として生成する生成部と、
前記画像情報を表示する、請求項１ないし請求項９のいずれか一項に記載の表示装置と、
を含む、構造物監視システム。
【請求項１５】
構造物に配置されている物理量センサーと、
前記物理量センサーから出力された出力信号に基づいて算出された前記構造物の変位量に基づいて、前記構造物の変位を視覚的に認識可能な画像情報として表示する表示装置と、
を備え、
前記表示装置は、
前記物理量センサーから出力された出力信号を受信する受信部と、
受信した前記出力信号に基づいて、前記構造物の変位量を算出する算出部と、
前記構造物の変位量に基づいて、前記構造物の変位を視覚的に認識可能な画像情報として生成する生成部と、
前記画像情報を表示する表示部と、
を含む、構造物監視システム。
【発明の詳細な説明】
【技術分野】
【０００１】
本発明は、表示装置、表示方法、プログラム、記録媒体、および構造物監視システムに関する。
【背景技術】
【０００２】
従来、種々のセンサーを用いて、建物、橋梁、法面といった人工構造物、もしくは自然斜面のような自然構造物の状態を計測し、異常検知やモニタリングを行うシステムが知られている。
【０００３】
例えば、特許文献１には、道路、橋梁、鉄道路線などの構造物において発生した異常に関する情報を提供する管理方法が提案されている。この管理方法では、構造物を撮像する個別監視装置を、所定の間隔で連続的に複数配置し、個別監視手段によって撮影された画像と基準画像とをそれぞれ比較することによって、構造物の異常を検出し、異常を報知すると記載されている。
【先行技術文献】
【特許文献】
【０００４】
【特許文献１】特開２０１７−２１７９８０号公報
【発明の概要】
【発明が解決しようとする課題】
【０００５】
しかしながら、上記の特許文献１に記載されている管理方法では、構造物に関して異常か否かの判断はできるが、構造物の変位状態の程度に係る情報を提供できないという問題があった。
【課題を解決するための手段】
【０００６】
本願の表示装置は、構造物に配置されている物理量センサーから出力された出力信号に基づいて算出された前記構造物の変位量に基づいて、前記構造物の変位を視覚的に認識可能な画像情報として表示部に表示する。
【０００７】
上述の表示装置において、前記画像情報は、前記変位量の変化に基づいて変化し、変化した前記画像情報は、色、ハッチング、線、点、丸、数値、記号、軌跡、グラフ、ヒストグラム、および波形の少なくとも何れかを用いて表示されることが好ましい。
【０００８】
上述の表示装置において、前記構造物の変位量は、前記出力信号に基づいて算出された変位量の相対値であることが好ましい。
【０００９】
上述の表示装置において、前記構造物に係るモデル画像を表示し、前記画像情報は、前記モデル画像に重ねて、または前記モデル画像と並べて表示されていることが好ましい。
【００１０】
上述の表示装置において、前記物理量センサーは、複数配置され、前記画像情報は、前記複数の物理量センサーのうち、隣り合う前記物理量センサー同士を結んでいる線分を複数含む線表示画像であることが好ましい。
【００１１】
上述の表示装置において、前記線表示画像は、前記表示部に配置されている第１のタグを操作すると、表示角度が変化することが好ましい。
【００１２】
上述の表示装置において、記憶部を含み、前記出力信号は、時刻情報と共に、前記記憶部に記録されていることが好ましい。
【００１３】
上述の表示装置において、前記表示部に表示されている時刻選択用の第２のタグを操作することにより、選択した時刻に応じた前記画像情報が表示されることが好ましい。
【００１４】
上述の表示装置において、前記構造物に配置されている重量測定部が測定した車両の重量に基づいて、予め設定された過積載基準値を超えていると判断した場合、過積載に係る情報を前記表示部に表示することが好ましい。
【００１５】
本願の表示方法は、構造物に配置されている物理量センサーから出力された出力信号に基づいて、前記構造物の変位量を算出するステップと、算出した前記構造物の変位量に基づいて、前記構造物の変位を視覚的に認識可能な画像情報として生成するステップ生成した前記画像情報を表示するステップと、を含む。
【００１６】
上述の表示方法において、前記画像情報を生成するステップは、前記変位量の変化に基づいて変化した画像情報を、色、ハッチング、線、点、丸、数値、記号、軌跡、グラフ、ヒストグラム、および波形の少なくとも何れかを用いて生成することが好ましい。
【００１７】
本願のプログラムは、構造物に配置されている物理量センサーから出力された出力信号に基づいて、前記構造物の変位量を算出するステップと、前記構造物の変位量に基づいて、前記構造物の変位を視覚的に認識可能な画像情報として生成するステップと、前記画像情報を表示するステップと、をコンピューターに実行させる。
【００１８】
本願の記録媒体は、構造物に配置されている物理量センサーから出力された出力信号に基づいて、前記構造物の変位量を算出するステップと、前記構造物の変位量に基づいて、前記構造物の変位を視覚的に認識可能な画像情報として生成するステップと、前記画像情報を表示するステップと、をコンピューターに実行させるプログラムを記録している。
【００１９】
本願の構造物監視システムは、構造物に配置されている物理量センサーと、前記物理量センサーから出力された出力信号に基づいて、前記構造物の変位量を算出する算出部と、前記構造物の変位量に基づいて、前記構造物の変位を視覚的に認識可能な画像情報として生成する生成部と、前記画像情報を表示する上記のいずれかに記載の表示装置と、を含む。
【００２０】
本願の構造物監視システムは、構造物に配置されている物理量センサーと、前記物理量センサーから出力された出力信号に基づいて算出された前記構造物の変位量に基づいて、前記構造物の変位を視覚的に認識可能な画像情報として表示する表示装置と、を備え、前記表示装置は、前記物理量センサーから出力された出力信号を受信する受信部と、受信した前記出力信号に基づいて、前記構造物の変位量を算出する算出部と、前記構造物の変位量に基づいて、前記構造物の変位を視覚的に認識可能な画像情報として生成する生成部と、前記画像情報を表示する表示部と、を含む。
【図面の簡単な説明】
【００２１】
【図１】第１実施形態に係る構造物監視システムの概略を説明する構成図。
【図２】第１実施形態に係る構造物監視システムの構成を説明する機能ブロック図。
【図３Ａ】表示装置の具体例の概略を示す構成図。
【図３Ｂ】他の表示装置を例示する構成図。
【図４】加速度検出器の外観を示す斜視図。
【図５】加速度センサーの概略構成を示す部分展開斜視図。
【図６】橋梁における加速度検出器の設置場所を示す斜視図。
【図７Ａ】変位前の橋梁の状態に係る表示例を示す説明図。
【図７Ｂ】橋梁の変位に係る表示例１を示す説明図。
【図８】橋梁の変位に係る表示例２を示す説明図。
【図９】橋梁の変位に係る表示例３を示す説明図。
【図１０】橋梁の変位に係る表示例４を示す説明図。
【図１１】橋梁の変位に係る表示例５を示す説明図。
【図１２】橋梁の変位に係る表示例６を示す説明図。
【図１３】橋梁の変位に係る表示例７を示す説明図。
【図１４】橋梁の変位に係る表示例８を示す説明図。
【図１５】橋梁の変位に係る表示例９を示す説明図。
【図１６】橋梁の変位に係る表示例１０を示す説明図。
【図１７】橋梁の変位に係る表示例１１を示す説明図。
【図１８Ａ】橋梁の変位に係る表示例１２を示す説明図。
【図１８Ｂ】橋梁の変位に係る表示例１２を示す説明図。
【図１８Ｃ】表示例１２の変形例を示す説明図。
【図１９】橋梁の変位に係る表示例１３を示す説明図。
【図２０Ａ】表示部としての頭部装着型表示装置（ヘッドマウントディスプレイ：ＨＭＤ）の一例を示す構成図。
【図２０Ｂ】頭部装着型表示装置（ヘッドマウントディスプレイ：ＨＭＤ）への表示一例を示す図。
【図２１】第２実施形態に係る構造物監視システムの概略を説明する構成図。
【図２２】第２実施形態に係る構造物監視システムの構成を説明する機能ブロック図。
【発明を実施するための形態】
【００２２】
以下、本発明の表示装置、表示方法、プログラム、記録媒体、および構造物監視システムについて、その好適な実施形態を添付図面に基づいて説明する。なお、以下で説明する実施形態は、特許請求の範囲に記載された本発明の内容を不当に限定するものではない。また、本実施形態で説明される構成の全てが、本発明の必須構成要件であるとは限らない。
【００２３】
（第１実施形態）
［構造物監視システム］
先ず、本発明の第１実施形態に係る構造物監視システム１について、図１、図２、図３Ａ、および図３Ｂを参照して説明する。図１は、第１実施形態に係る構造物監視システムの概略を説明する構成図である。図２は、第１実施形態に係る構造物監視システムの構成を説明する機能ブロック図である。図３Ａは、表示装置の具体例の概略を示す構成図である。図３Ｂは、他の表示装置を例示する構成図である。
【００２４】
図１、および図２に示す本実施形態に係る構造物監視システム１は、橋梁５０や建物（不図示）等の構造物に備えられた物理量センサーとしての加速度検出器１００の検出した構造物の変位情報に基づいて、構造物の変位の状態を表示装置１０に画像情報として表示し、構造物の状態を監視する機能を備える。なお、本実施形態では、構造物として橋梁５０の状態を監視する例を挙げ、説明する。
【００２５】
構造物監視システム１は、図１、および図２に示すように、構造物の一例としての橋梁５０に配置されている複数の物理量センサーとしての加速度検出器１００と、複数の加速度検出器１００から出力された各々の出力信号に基づいて制御装置３０によって算出された橋梁５０の主桁５１の変位量に基づいて、橋梁５０の変位が視覚的に認識可能な画像情報を表示する表示装置１０と、を含み構成されている。なお、複数の加速度検出器１００は、橋梁５０の橋脚５５と他の橋脚５５との間の主桁５１もしくは横桁５２に配置されている。また、本形態では、８個の加速度検出器１００（図６参照）が配置されている例を示しているが、加速度検出器１００の個数は問わない。
【００２６】
物理量センサーとしての加速度検出器１００は、互いに直交する３軸の各軸方向の加速度を検出することができる。加速度検出器１００は、橋梁５０の所定の位置に固定され、それぞれの加速度検出器１００から出力信号を、制御装置３０に対して出力することができる。なお、加速度検出器１００の詳細構成については後段にて説明する。
【００２７】
［制御装置］
制御装置３０は、複数の加速度検出器１００から出力された出力信号に基づいて、橋梁５０の主桁５１の変位量を算出し、算出した変位量を視覚的に認識可能な画像情報として出力する制御部２０と、制御部２０に対して表示内容などを指示する操作部１７と、制御部２０の算出した橋梁５０の主桁５１の変位量に係るデータなどを例えばサーバーなどの情報処理装置４０と通信する通信部１９と、を備えている。
【００２８】
制御部２０は、受信部１１と、算出部１２と、生成部１３と、処理部１４と、記憶部１５と、を備えている。制御部２０の各機能部は、図示を略した、ＣＰＵやＲＡＭ等のハードウェアと、記憶部１５に記録されたソフトウェアと、の協働により実現される機能的構成を示すものであって、具体的な実装形態は特に制限されない。従って、必ずしも各機能部に個別に対応するハードウェアが実装される必要はなく、一つのプロセッサーがプログラムを実行することで複数の機能部の機能を実現する構成とすることも可能である。
【００２９】
受信部１１は、複数の加速度検出器１００、本形態では、８個の加速度検出器１００の各々から出力された出力信号を受信し、算出部１２に出力する。この場合、８個の加速度検出器１００の各々から出力された出力信号の全てではなく、８個の加速度検出器１００のうちの１つ以上の出力信号を受信し、算出部１２に出力してもよい。これは、構造物監視システム１に求められる性能、精度、仕様、等に応じて、必要とされる視覚的に認識可能な画像情報を提供できればよい。
【００３０】
算出部１２は、受信部１１の受信した出力信号に基づいて、橋梁５０の主桁５１の変位量を算出し、生成部１３や通信部１９に出力する。なお、算出部１２は、通信部１９から情報処理装置４０などの取得した情報を得ることができる。
【００３１】
生成部１３は、算出部１２によって算出された橋梁５０の主桁５１の変位量に基づいて、橋梁５０の変位に係る視覚的に認識可能な画像情報を生成し、処理部１４の指示にしたがって、生成された画像情報を表示装置１０に出力する。
【００３２】
処理部１４は、記憶部１５に格納されているプログラムと、操作部１７や表示装置１０の切換部１８を介してユーザーが入力した各種のコマンドとに従い各種の処理を行う。処理部１４は、操作部１７や表示装置１０の切換部１８から入力される画面切り換え指示の有無に基づいて、生成部１３の出力する画像情報を制御し、表示装置１０へ出力する画像情報に係る指示、即ち表示装置１０に表示する画像内容に係る指示を行う。処理部１４は、記憶部１５に記録されたプログラムに基づいて動作するプロセッサーを含む。プロセッサーは、例えば各部の機能が個別のハードウェアで実現されてもよいし、あるいは各部の機能が一体のハードウェアで実現されてもよい。プロセッサーは、例えばＣＰＵ（Central Processing Unit）であってもよい。ただしプロセッサーはＣＰＵに限定されるものではなく、ＧＰＵ（Graphics Processing Unit）、あるいはＤＳＰ（Digital Signal Processor）等、各種のプロセッサーを用いることが可能である。またプロセッサーはＡＳＩＣによるハードウェア回路でもよい。
【００３３】
記憶部１５は、フラッシュメモリーやハードディスクのような不揮発性の記録媒体を想定し、例えばＳＲＡＭ（Static Random Access Memory）、ＤＲＡＭ（Dynamic Random Access Memory）などの半導体メモリーであってもよいし、レジスターであってもよいし、ハードディスク装置等の磁気記憶装置であってもよいし、光学ディスク装置等の光学式記憶装置であってもよい。記憶部１５は、制御部２０が各機能の動作を制御するためのプログラム（例えば、以下に記載する構造物の監視に係るプログラム）や、算出部１２によって算出された変位量、および生成部１３によって生成された画像情報を記録する。
【００３４】
記憶部１５は、加速度検出器１００から出力された各々の出力信号を、時刻と共に（時刻に同期させて）記録することができる。これにより、算出部１２は、記憶部１５に記録されている、時刻に同期された出力信号に基づいて、現在時刻よりも前刻の橋梁５０の状態における変位量を算出する。このような時系列に応じた変位量によって橋梁５０の変位を視覚的に認識可能な画像情報が生成され、表示装置１０に表示されることから、ユーザーは構造物の状態を時系列に沿って客観的に認識し、判断することができる。
【００３５】
なお、記憶部１５は、記録媒体として機能し、コンピューターにより読み取り可能な、構造物の監視に係るプログラムを格納しており、当該プログラムが処理部１４により実行されることで、構造物監視システム１の各部の機能が実現されることになる。具体的に、記憶部１５は、構造物としての橋梁５０に配置されている複数の加速度検出器１００から出力された各々の出力信号に基づいて、橋梁５０の変位量を算出するステップと、橋梁５０の変位量に基づいて、橋梁５０の変位に係る視覚的に認識可能な画像情報を生成するステップと、画像情報を表示するステップと、を含む手順を含む処理をコンピューターに実行させるプログラムを記録している。
【００３６】
操作部１７は、例えばボタン、キー、マイク、タッチパネル、音声認識機能（不図示のマイクロフォンを利用）、アクション検出機能（加速度センサーなどを利用）などで構成され、ユーザーからの指示を適当な信号に変換して処理部１４へ送る処理を行うことができる。
【００３７】
通信部１９は、制御部２０から出力される種々の情報を通信を介して情報処理装置４０に送信したり、情報処理装置４０から出力される種々の情報を通信を介して受信したりすることができる。通信部１９は、例えば、Bluetooth（登録商標）（BTLE：Bluetooth Low Energyを含む）、Ｗｉ−Ｆｉ（登録商標）（Wi-Fi:Wireless Fidelity）、Ｚｉｇｂｅｅ（登録商標）、ＮＦＣ（Near field communication）、ＡＮＴ＋（登録商標）等の近距離無線通信規格に対応した送受信機を含んで構成される。なお、通信は、無線通信に限定されず、ＣＡＮ、ＣＡＮＯｐｅｎ、Ｅｔｈｅｒｎｅｔ等の有線通信を用いてもよい。
【００３８】
本実施形態の制御装置３０は、パーソナルコンピューター、タブレットのような多機能携帯端末、スマートフォンのような高機能携帯電話等を想定する。また、制御装置３０は、図３Ａに示すような、例えば各種道路における集中管理システムの制御盤３５を想定することができる。制御装置３０は、加速度検出器１００から出力される橋梁５０の主桁５１の変位量などの情報を受信し、必要に応じて情報を加工し、橋梁５０の状態を表示装置１０に表示することにより、ユーザーに橋梁５０の状態を視覚的な画像情報として提供する。なお、制御装置３０は、一つの構造物または複数の構造物に設置された複数の加速度検出器１００から情報をそれぞれ受信し、受信した複数の情報を多面的に加工して表示しても良い。
【００３９】
また、本実施形態に係る構造物監視システム１の各部の処理は、記憶部１５に記録されているプログラムにより実現することができる。すなわち、本実施形態の手法は、構造物としての橋梁５０に配置されている複数の加速度検出器１００から出力された各々の出力信号に基づいて、橋梁５０の変位量を算出するステップと、橋梁５０の変位量に基づいて、橋梁５０の変位を視覚的に認識可能な画像情報を生成するステップと、画像情報を表示装置１０に表示するステップと、を含む手順に係る処理をコンピューターに実行させるプログラムに適用できる。
【００４０】
［表示装置］
表示装置１０は、複数の加速度検出器１００の各々から出力された出力信号に基づいて制御装置３０によって算出、生成され、制御装置３０から出力された橋梁５０の主桁５１の変位量を視覚的に認識可能な画像情報として表示することができる。表示装置１０は、画像を描画する表示部１６と、表示内容を切り替えることができる切換部１８と、を備えている。なお、表示方法、および表示例については、後段において詳細に説明する。
【００４１】
表示部１６は、例えばＬＣＤ（Liquid Crystal Display）、有機ＥＬ（Electroluminescence）ディスプレイ、ＥＰＤ（Electrophoretic Display）、タッチパネル型ディスプレイ等で構成される。表示部１６は、制御部２０からの指示により生成部１３から出力された画像情報に基づき、橋梁５０の主桁５１の変位量を視覚的に認識可能な画像として表示する。
【００４２】
切換部１８は、例えば操作部２１（操作ボタン２１ａ〜操作ボタン２１ｄ）（図８参照）、タッチパネルのタグ（図８参照）などで構成され、ユーザーからの指示を適当な信号に変換して制御装置３０の処理部１４へ送る処理を行うことができる。ユーザーは、操作部２１を操作したり、もしくはタッチパネルのタグなどに触れたりすることにより、表示部１６の表示画面を次画面に送ったり元画面に戻したりする切り替えを行ったり、表示内容を選択したりするなどの表示指示を行うことができる。
【００４３】
本実施形態の表示装置１０は、図３Ａに示すような、例えば各種道路における集中管理システムの表示パネル１１０を想定することができる。また、表示装置１０は、図３Ｂに示すような、例えばネットワークＮＥを介して接続されているタブレットのような多機能携帯端末やスマートフォンのような携帯電話などの情報端末８０の表示部８１、携帯型電子機器（ウェアラブル機器）６０の表示部６１、パーソナルコンピューター７０のディスプレイ７１等を想定することができる。
【００４４】
このような表示装置１０によれば、複数の加速度検出器１００から出力された各々の出力信号に基づいて算出された構造物としての橋梁５０の変位量に基づいて、橋梁５０の変位を視覚的に認識可能な画像情報を表示部１６に表示するので、管理者（ユーザー）は橋梁５０の状態を、視認によって客観的に認識し、判断することができる。
【００４５】
［物理量センサー］
物理量センサーとしての加速度検出器１００について、図４、図５、および図６を参照して説明する。図４は、加速度検出器の外観を示す斜視図である。図５は、加速度センサーの概略構成を示す部分展開斜視図である。図６は、橋梁における加速度検出器の設置場所を示す斜視図である。
【００４６】
物理量センサーとしての加速度検出器１００は、図４に示すように、互いに直交する３軸の各軸方向の加速度を検出する加速度センサー２００と、外部から電源を供給するケーブル１４０と、を含んでいる。なお、電源は、ケーブル１４０に替えて、加速度検出器１００に内蔵した内部電源を用いることができる。加速度検出器１００は、図示しない駆動回路によって加速度センサー２００に駆動信号が送られている。そして、加速度検出器１００は、図示しない検出回路によって、加速度センサー２００に加わる加速度に応じて変化する共振周波数から、加速度の変化を検出し、例えば、無線またはケーブル１４０などで表示装置１０などにデータ送信する。
【００４７】
加速度センサー２００は、図５に示すように、ベース基板２０１と、断熱基板２０２と、基台２０３と、１軸方向の加速度を検出可能な加速度検出素子１０１を収容した加速度検出デバイス１０３と、発振器２０４と、キャップ２０５と、を備え、加速度検出器１００の内部に収容されている。
【００４８】
加速度検出素子１０１は、図示しないが、例えば、水晶の原石などから所定の角度で切り出された水晶基板から構成された振動素子を用いている。この振動素子は、２本の振動梁と一対の基部とで二組の音叉を構成することから、双音叉素子（双音叉型振動片）とも呼ばれているものである。そして、加速度が加わったときに生じる双音叉素子の変形による共振周波数の変化によって加速度を検出することができる。
【００４９】
矩形平板状のベース基板２０１には、例えば、ガラス布入りエポキシ樹脂基板が用いられ、搭載された回路素子２０１ａによって、加速度検出デバイス１０３や発振器２０４に関わる周辺回路が構成されている。また、ベース基板２０１には、外部との入出力のための端子２０１ｂや、加速度検出器１００への取り付け孔２０１ｃが形成されている。
【００５０】
矩形平板状の断熱基板２０２は、ＰＢＴ（ポリブチレンテレフタレート）、ＬＣＰ（液晶ポリマー）などの低熱伝導率で耐熱性、電気特性、寸法安定性などに優れた樹脂が用いられ、厚み方向に貫通して固定されている細いピン状（棒状）の複数の接続ピン２０２ａによって、ベース基板２０１に隙間を有して接続されている。
【００５１】
基台２０３は、アルミニウム、アルミニウム合金、銅、銅合金などの金属を用いて、削り出しまたは板金加工により略直方体形状に形成され、断熱基板２０２に、例えば、接着剤などで固定されている。なお、基台２０３には、上記の樹脂や酸化アルミニウム質焼結体（セラミック類）などを用いてもよい。
【００５２】
二つの加速度検出デバイス１０３、および発振器２０４は、基台２０３の側面（断熱基板２０２に対して直立する面）に、例えば、導電性接着剤などによって固定されている。二つの加速度検出デバイス１０３は、基台２０３における隣り合う直角に接続された側面にそれぞれ固定されている。さらに、一つの加速度検出デバイス１０３は、基台２０３の上面（断熱基板２０２に対して平行し、断熱基板２０２と反対側に位置する面）に、例えば、導電性接着剤などによって固定されている。これにより、加速度センサー２００は、互いに直交する３軸に対する加速度を検出することができる。
【００５３】
基台２０３の側面に固定された二つの加速度検出デバイス１０３および発振器２０４は、リード線２０６によって断熱基板２０２の接続ピン２０２ａに接続され、接続ピン２０２ａを経由してベース基板２０１に接続されている。また、基台２０３の上面に固定された加速度検出デバイス１０３は、リード線２０９によって接続端子２０８に接続され、接続端子２０８を経由して接続ピン２０２ａに接続されている。
【００５４】
なお、一つの加速度検出デバイス１０３の近傍には、周辺の温度を検知する温度センサーとしてのサーミスター２０７が備えられている。サーミスター２０７は、周辺の温度を検知して、加速度検出デバイス１０３および発振器２０４の周波数特性の温度補償（温度補正）をする際の、温度検知手段として設けられている。サーミスター２０７は、上記加速度検出デバイス１０３および発振器２０４と同様に、リード線２０６によって断熱基板２０２の接続ピン２０２ａに接続され、接続ピン２０２ａを経由してベース基板２０１に接続されている。
【００５５】
発振器２０４は、加速度検出時における加速度検出デバイス１０３（加速度検出器１００）の共振周波数と比較する比較回路の基準周波数（基準共振周波数）発振源として備えられている。
【００５６】
ベース基板２０１側に開口部を備えた箱状のキャップ２０５には、断熱基板２０２と同様に低熱伝導率の樹脂（ＰＢＴ、ＡＢＳ、ＰＣなど）が用いられ、ベース基板２０１上の断熱基板２０２、基台２０３、加速度検出デバイス１０３、サーミスター２０７、発振器２０４、回路素子２０１ａなどを覆うようにベース基板２０１に固定されている。
【００５７】
これらの構成により、加速度センサー２００は、周囲の温度変化の加速度検出デバイス１０３への到達を遅延させることができる。詳述すると、ベース基板２０１からの接触による熱伝導は、細いピン状の接続ピン２０２ａや低熱伝導率の樹脂が用いられた断熱基板２０２により遅延され、加速度検出デバイス１０３の周辺の大気の対流や、外部部材の放射熱（輻射熱）による熱伝導は、低熱伝導率の樹脂が用いられたキャップ２０５による外気および放射熱源からの遮断によって遅延される。このように、加速度センサー２００は、周囲の温度変化の加速度検出デバイス１０３への到達を遅延させることで、加速度検出デバイス１０３の温度変化をなだらかにすることが可能となることから、加速度検出デバイス１０３（加速度検出素子１０１）の、例えば、加速度検出精度などを良好な状態に維持することができる。
【００５８】
なお、加速度検出素子１０１の基材は、水晶に限定するものではなく、タンタル酸リチウム（ＬｉＴａＯ3）、四ホウ酸リチウム（Ｌｉ2Ｂ4Ｏ7）、ニオブ酸リチウム（ＬｉＮｂＯ3）、チタン酸ジルコン酸鉛（ＰＺＴ）、酸化亜鉛（ＺｎＯ）、窒化アルミニウム（ＡｌＮ）などの圧電材料、または酸化亜鉛（ＺｎＯ）、窒化アルミニウム（ＡｌＮ）などの圧電材料を被膜として備えたシリコンなどの半導体材料であってもよい。
【００５９】
本実施形態では、加速度検出器１００は、図６に示すように、橋梁５０の橋脚５５と他の橋脚５５との間（図１参照）に位置する横桁５２の主桁５１近傍に配置されている。加速度検出器１００は、四つの主桁５１それぞれの近傍となる横桁５２において、路面５３（図１参照）と反対側の面となる裏面５４の近傍と、裏面５４と離間した端近傍のそれぞれに配置され、合計８個の加速度検出器１００が配置されている。
【００６０】
［構造物の変位に係る表示方法］
次に、表示装置１０の表示部１６に表示される変位情報を示す画像の表示方法について説明する。本実施形態に係る表示方法は、構造物としての橋梁５０に配置されている複数の加速度検出器１００から出力された各々の出力信号に基づいて、橋梁５０の変位量を算出するステップと、橋梁５０の変位量に基づいて、橋梁５０の変位を視覚的に認識可能な画像情報を生成するステップと、画像情報を表示装置１０に表示するステップと、を含む。このような表示方法によれば、複数の加速度検出器１００から出力された各々の出力信号に基づいて算出された橋梁５０の変位量に基づいて、橋梁５０の変位を視覚的に認識可能な画像情報を生成し、その画像情報を表示装置１０に表示するので、管理者（ユーザー）は橋梁５０の状態を、視認によって客観的に認識し、判断することができる。
【００６１】
また、上記表示方法において、画像情報を生成するステップは、橋梁５０の変位量の変化に基づいて変化した画像情報を、色、ハッチング、線、点、丸、数値、記号、軌跡、グラフ、ヒストグラム、および波形の少なくとも何れかを用いて生成することが好ましい。このように、画像情報を生成するステップにおいて、構造物の変位量の変化に基づいて変化した画像情報を、色、ハッチング、線、点、丸、数値、記号、軌跡、グラフ、ヒストグラム、および波形の少なくとも何れかを用いて生成し、表示装置１０に画像として表示するので、表示された画像により情報管理者（ユーザー）は、構造物例えば橋梁５０の状態を認識し易くなる。ここで、画像情報を構成する線には、線の色、線の種類、線の太さ、線の長さなどを含み、点、丸、および記号には、色、形態または大きさや模様などを含む。
【００６２】
［構造物の変位に係る表示装置への表示例］
次に、表示部１６に表示される画像の具体的な表示例について、以下に図７Ａないし図１５を参照して説明する。図７Ａは、変位前の橋梁の状態に係る表示例を示す説明図である。図７Ｂは、橋梁の変位に係る表示例１を示す説明図である。図８は、橋梁の変位に係る表示例２を示す説明図である。図９は、橋梁の変位に係る表示例３を示す説明図である。図１０は、橋梁の変位に係る表示例４を示す説明図である。図１１は、橋梁の変位に係る表示例５を示す説明図である。図１２は、橋梁の変位に係る表示例６を示す説明図である。図１３は、橋梁の変位に係る表示例７を示す説明図である。図１４は、橋梁の変位に係る表示例８を示す説明図である。図１５は、橋梁の変位に係る表示例９を示す説明図である。
【００６３】
＜表示例１＞
先ず、図７Ａおよび図７Ｂを参照して、橋梁５０の変位の状態を示す表示例１について説明する。なお、図７Ａは、画像情報として、変位していない状態の橋梁５０と、橋梁５０に取り付けられた加速度検出器１００の表示例を示す図であり、図７Ｂは、変位した状態の橋梁５０と、橋梁５０に取り付けられた加速度検出器１００の表示例を示す図である。なお、図７Ａおよび図７Ｂでは、橋梁５０の主桁５１（図６参照）を、図中左側端に位置する第１主桁５１ａと、第１主桁５１ａ側から右側端に向かって配置された第２主桁５１ｂ、および第３主桁５１ｃと、右側端に位置する第４主桁５１ｄと、に区分して説明する。
【００６４】
図７Ａに示す画像情報としての画像ＬＰ１ａは、表示部１６に描画され、構造物としての橋梁５０に変位の生じていない状態を示している。表示部１６には、橋梁５０の主桁５１側（図６参照）から斜視した橋梁５０のモデル画像が描画され、そのモデル画像に重ねて、橋梁５０の主桁５１近傍の横桁５２（図６参照）に設置された複数の加速度検出器１００（図６参照）のそれぞれの位置を示す記号として、八つの丸印１００ａ，１００ｂ，１００ｃ，１００ｄ，１００ｅ，１００ｆ，１００ｇ，１００ｈと、複数の加速度検出器１００のうち、隣り合う加速度検出器１００同士に対応する丸印１００ａ，１００ｂ，１００ｃ，１００ｄ，１００ｅ，１００ｆ，１００ｇ，１００ｈを結ぶ１０本の線分Ｌ１，Ｌ２，〜Ｌｎとが描画されている。なお、本形態では、第１主桁５１ａ側に位置する加速度検出器１００に対応する記号として丸印１００ａ，１００ｂを示し、以降右に向かって丸印１００ｃ，１００ｄ，１００ｅ，１００ｆ，１００ｇ，１００ｈが配列されている。また、本形態では、線分Ｌ１，Ｌ２，〜Ｌｎの代表例として、丸印１００ａと丸印１００ｂとを結ぶ線分Ｌ１、丸印１００ｂと丸印１００ｄとを結ぶ線分Ｌ２、および丸印１００ｇと丸印１００ｈとを結ぶ線分Ｌｎを符号として示している。
【００６５】
丸印１００ａ〜１００ｈ、および線分Ｌ１，Ｌ２，〜Ｌｎのそれぞれは、橋梁５０の変位量の変化に基づいて、換言すれば橋梁５０の変位量の大きさが変化するに連れて、例えば、丸の大きさなどを変化させることができる。また、丸印１００ａ〜１００ｈ、および線分Ｌ１，Ｌ２，〜Ｌｎのそれぞれは、色、線の種類、丸の大きさ、および線の太さの少なくとも何れかを用いて表示させることができる。そして、橋梁５０の変位量の大きさが変化するに連れて、丸印１００ａ〜１００ｈ、および線分Ｌ１，Ｌ２，〜Ｌｎのそれぞれの、色、線の種類、丸の大きさ、および線の太さの少なくとも何れかを可変させることによって、変位量の大きさを表すことができる。このように、橋梁５０の変位量の変化に基づいて変化した画像情報として、表示部１６に、色、線の種類、丸の大きさ、および線の太さの少なくとも何れかを用いて表示されることにより、管理者（ユーザー）による構造物の状態の認識を行い易くすることができる。
【００６６】
図７Ｂに示す画像情報としての画像ＬＰ１ｂは、表示部１６に描画され、構造物としての橋梁５０が、例えば重量物を積載した車両などの通過により変位した状態を示している。また、画像ＬＰ１ｂは、変位した部分、例えば丸印１００ａの部分の変位量の具体的な数値を示すことができる第１の数値表示部２２および第２の数値表示部２４を含んでいる。第１の数値表示部２２および第２の数値表示部２４は、例えば操作部２１を構成する操作ボタン２１ａ〜操作ボタン２１ｄや表示部１６を構成するタッチパネルなどをユーザーが操作することによって表示することができる。
【００６７】
画像ＬＰ１ｂでは、橋梁５０の変位量に概ね比例するように、丸印１００ａ〜丸印１００ｈの直径（大きさ）が示されている。具体的に画像ＬＰ１ｂでは、図中左側に位置する第１主桁５１ａ近傍の丸印１００ａ，１００ｂの直径が大きく示され、図中右側に位置する第４主桁５１ｄ近傍の丸印１００ｇ，１００ｈの直径が小さく示されている。これは、第１主桁５１ａ近傍の変位量が第４主桁５１ｄ近傍の変位量よりも大きいことを示している。また、丸印１００ａ，１００ｂと丸印１００ｇ，１００ｈとの間に位置する丸印１００ｃ，１００ｄ，１００ｅ，１００ｆは、丸印１００ａの直径と丸印１００ｇの直径との間の長さの直径に表されている。これは、第２主桁５１ｂ近傍および第３主桁５１ｃ近傍の変位量が、第１主桁５１ａ近傍の変位量と第４主桁５１ｄ近傍の変位量との間の変位量であったことを表している。
【００６８】
なお、画像ＬＰ１ｂに表示されている橋梁５０の変位量は、複数の加速度検出器１００から算出された複数の変位量の相対値で示されている。このように、複数の加速度検出器１００から算出された複数の変位量の相対値によって、加速度検出器１００の配置されている橋梁５０のそれぞれの部位の変位量が示されることにより、管理者（ユーザー）は、加速度検出器１００の異なる部位に係る変位の大きさの比較を容易に認識することができる。
【００６９】
第１の数値表示部２２および第２の数値表示部２４は、操作部２１として、例えば操作ボタン２１ａ，２１ｂ，２１ｃ，２１ｄや表示部１６を構成するタッチパネルなどをユーザーが操作することによって表示したり表示を消したり、もしくは表示する項目を選択したりすることができる。
【００７０】
第１の数値表示部２２には、橋梁５０を所定期間内に通過した車両台数を示すボックス２３ａと、予め設定された過積載基準値を超えている（過積載）と判断できる通過車両数を示すボックス２３ｂとが備えられている。なお、過積載基準値を超えている（過積載）と判断できる通過車両の検出は、橋梁５０に配置されている重量測定部（不図示）によって算出されたり、加速度検出器１００の検出した加速度データから算出部１２が算出したりすることができる。このように、橋梁５０の状態を示す画像情報に加えて、過積載に係る情報が表示部１６に示されることから、管理者（ユーザー）は橋梁５０の状態と過積載に係る情報とを一見で確認することができる。
【００７１】
第２の数値表示部２４には、例えば選択した丸印１００ｂの位置における所定期間内の変位量の最大値（Ｍａｘ．）を示すボックス２５ａ、最小値（Ｍｉｎ．）を示すボックス２５ｂ、平均値（Ａｖｅ．）を示すボックス２５ｃが備えられている。
【００７２】
このように、表示例１に係る表示方法を適用した表示装置１０では、橋梁５０の変位量の変化に基づいて変化した画像情報として、表示部１６に、色、線の種類、丸の大きさ、および線の太さの少なくとも何れかを用いて表示されることにより、管理者（ユーザー）による構造物の状態の認識を行い易くすることができる。
【００７３】
また、表示例１に係る表示方法を適用した表示装置１０では、複数の加速度検出器１００から算出された複数の変位量の相対値によって、加速度検出器１００の配置されている橋梁５０のそれぞれの部位の変位量が示されることにより、管理者（ユーザー）は、加速度検出器１００の異なる部位に係る変位の大きさの比較を容易に認識することができる。
【００７４】
また、表示例１に係る表示方法を適用した表示装置１０では、橋梁５０に対応するモデル画像に、画像情報を重ねて表示することにより、管理者（ユーザー）は、橋梁５０のそれぞれの部位に対する画像情報を一見で認識することができる。
【００７５】
＜表示例２＞
次に、図８を参照して、表示装置１０に表示される橋梁５０（図６参照）の変位の状態を示す画像情報としての表示例２について説明する。
【００７６】
図８に示す画像情報としての画像ＬＰ２は、表示部１６に描画され、橋梁５０の主桁５１近傍の横桁５２（図６参照）に設置された複数の加速度検出器１００（図６参照）のそれぞれの位置を示す記号として、八つの丸印１００ａ，１００ｂ，１００ｃ，１００ｄ，１００ｅ，１００ｆ，１００ｇ，１００ｈと線分Ｌ３〜Ｌ１０が示されている。そして、加速度検出器１００の出力データに基づいて、丸印１００ａ，１００ｂ，１００ｃ，１００ｄ，１００ｅ，１００ｆ，１００ｇ，１００ｈの位置、大きさ、もしくは線分Ｌ３〜Ｌ１０の傾き、長さ、太さ、線種などを変化させることによって、橋梁５０の変位量を視覚的に表示することができる。
【００７７】
画像ＬＰ２について、さらに詳細に説明する。画像ＬＰ２は、横桁５２の道路面（路面５３（図１参照））側に位置する加速度検出器１００に対応し、一つのフレームを構成する線表示画像と、道路面側と反対側の横桁５２の下端部分に位置する加速度検出器１００に対応し、一つのフレームを構成する線表示画像と、によって構成された所謂ワイヤーフレーム図として表示されている。
【００７８】
具体的には、横桁５２の道路面側に位置する加速度検出器１００に対応する線表示画像は、丸印１００ａ，１００ｃ，１００ｅ，１００ｇと、外側に位置する丸印１００ａおよび丸印１００ｇを通過する矩形形状の外形線Ｌ１０と、外形線Ｌ１０上の所定位置と丸印１００ａ，１００ｃ，１００ｅ，１００ｇのそれぞれとを結ぶ複数の線分（例えば線分Ｌ８，Ｌ９）と、隣り合う加速度検出器１００同士に対応する丸印１００ａ，１００ｃ，１００ｅ，１００ｇを結ぶ３本の線分Ｌ３，Ｌ４，Ｌ５と、を含み構成されている。
【００７９】
また、道路面側と反対側の横桁５２の下端部分に位置する加速度検出器１００に対応する線表示画像は、上述の横桁５２の道路面側に位置する加速度検出器１００に対応する線表示画像と同様に構成されている。具体的に道路面側と反対側の横桁５２の下端部分に位置する加速度検出器１００に対応する線表示画像は、他の四つの丸印１００ｂ，１００ｄ，１００ｆ，１００ｈと、外側に位置する丸印１００ｂおよび丸印１００ｈを通過する矩形形状の外形線Ｌ１１と、他の四つの丸印１００ｂ，１００ｄ，１００ｆ，１００ｈのそれぞれとを結ぶ複数の線分と、隣り合う加速度検出器１００同士に対応する丸印１００ｂ，１００ｄ，１００ｆ，１００ｈを結ぶ３本の線分と、を含み構成されている。なお、図面を簡素化するため、道路面側に位置する線表示画像と同様な構成である各線分に対する符号は省略している。
【００８０】
このように、表示例２に係る表示方法を適用した表示装置１０では、例えば複数の加速度検出器１００（図６参照）のうち、隣り合う加速度検出器１００同士に対応する丸印１００ａ，１００ｃ，１００ｅ，１００ｇを結んでいる線分Ｌ３〜Ｌ９を複数含む線表示画像を用いていることから、橋梁５０の変位や変位量を、線分Ｌ３〜Ｌ９の傾きの変化、もしくは線分Ｌ３〜Ｌ９の長さや向きの変化で視認することができる。これにより、管理者（ユーザー）による構造物の状態の認識をより行い易くすることができる。
【００８１】
なお、画像ＬＰ２が表示されている表示装置１０の表示部１６には、例えばタッチパネルで構成されている第１のタグ２６ａ，２６ｂを設けることができる。第１のタグ２６ａ，２６ｂは、それらを操作することによって、表示されている線表示画像である画像ＬＰ２の表示角度を変化させることができる。具体的には、一方の第１のタグ２６ａを例えば指などによって触れることによって、画像ＬＰ２を右回転させたり、または他方の第１のタグ２６ｂを、例えば指などによって触れることによって、画像ＬＰ２を左回転させたりすることができる。このように、第１のタグ２６ａ，２６ｂを操作することによって、線表示画像の角度を変化させる、即ち、管理者（ユーザー）の視認する方向を変化させた表示を行うことができ、管理者（ユーザー）による構造物（橋梁５０）の変位の状態の認識をより行い易くすることができる。
【００８２】
＜表示例３＞
次に、図９を参照して、表示装置１０に表示される橋梁５０（図６参照）の変位の状態を示す画像情報としての表示例３について説明する。
【００８３】
図９に示す画像情報としての画像ＬＰ３は、表示部１６に描画され、表示例２と同様な構成の線表示画像として描画されている。画像ＬＰ３は、横桁５２の道路面（路面５３（図１参照））側に位置する加速度検出器１００に対応する線表示画像の外側に位置する丸印１００ａおよび丸印１００ｇを通過する矩形形状の外形線Ｌ１０の内側に位置する仮想プレートＨＰ１と、道路面側と反対側の横桁５２の下端部分に位置する加速度検出器１００に対応する線表示画像の外側に位置する丸印１００ｂおよび丸印１００ｈを通過する矩形形状の外形線Ｌ１１の内側に位置する仮想プレートＨＰ２とが、板状にハッチング処理されている。
【００８４】
このように丸印１００ａおよび丸印１００ｇを通過する矩形形状の外形線Ｌ１１内と、丸印１００ｂおよび丸印１００ｈを通過する矩形形状の外形線Ｌ１１内とが、板状にハッチング処理されていることにより、管理者（ユーザー）が基準面を視認し易くなり、橋梁５０の変位の状況を的確に捉えることが可能となる。
【００８５】
＜表示例４＞
次に、図１０を参照して、表示装置１０に表示される橋梁５０（図６参照）の変位の状態を示す画像情報としての表示例４について説明する。図１０に示す表示例４では、上下に位置する二つの画像情報を描画する。そして、表示装置１０に設けられている操作部２１に含まれる操作ボタン２１ａを操作することにより、例えば画像ＬＰ４ａもしくは画像ＬＰ４ｂのいずれかを表示部１６全体に拡大表示させたり、表示部１６に画像ＬＰ４ａおよび画像ＬＰ４ｂを並べて表示させたりすることができる。なお、図示しないが、操作ボタン２１ａに替えて、表示部１６内にタグを設けて、そのタグを操作することによって画面の切り替えを行うこともできる。
【００８６】
図１０に示す画像情報としての画像ＬＰ４ａは、表示部１６に描画され、橋梁５０に変位の生じていない状態を示している。画像ＬＰ４ａは、橋梁５０の主桁５１近傍の横桁５２（図６参照）に設置された複数の加速度検出器１００（図６参照）のそれぞれの位置を示す記号として、八つの丸印１００ａ，１００ｂ，１００ｃ，１００ｄ，１００ｅ，１００ｆ，１００ｇ，１００ｈと、基準枠Ｌ２０と、八つの丸印１００ａ，１００ｂ，１００ｃ，１００ｄ，１００ｅ，１００ｆ，１００ｇ，１００ｈのそれぞれと基準枠Ｌ２０とを結ぶ、例えば線分Ｌ２１，Ｌ２２，Ｌ２３などの複数の線分と、を含む線表示画像、所謂ワイヤーフレーム図として表示されている。
【００８７】
図１０に示す画像情報としての画像ＬＰ４ｂは、表示部１６に描画され、橋梁５０が、例えば重量物を積載した車両などの通過により変位した状態を示している。橋梁５０の変位によって、八つの丸印１００ａ，１００ｂ，１００ｃ，１００ｄ，１００ｅ，１００ｆ，１００ｇ，１００ｈの位置が変化し、それに伴って例えば線分Ｌ２１，Ｌ２２，Ｌ２３などの複数の線分の傾きや長さが、画像ＬＰ４ａから変化して描画されている。
【００８８】
このような表示例４に係る画像ＬＰ４ａおよび画像ＬＰ４ｂを用いた表示装置１０では、表示部１６に、橋梁５０の変位していない状態の画像ＬＰ４ａと、橋梁５０の変位している状態の画像ＬＰ４ｂとを並べて表示させたりすることができることから、管理者（ユーザー）が、視覚的に橋梁５０の変位の状況を的確に捉えることが可能となる。
【００８９】
また、表示例４に係る表示方法を適用した表示装置１０では、例えば線分Ｌ２１，Ｌ２２，Ｌ２３などの複数の線分の傾きや長さの変化によって、橋梁５０の変位を視覚的に捉えることができることから、管理者（ユーザー）による構造物（橋梁５０）の状態の認識をより行い易くすることができる。
【００９０】
＜表示例５＞
次に、図１１を参照して、表示装置１０に表示される橋梁５０（図６参照）の変位の状態を示す画像情報としての表示例５について説明する。図１１に示す表示例５では、橋梁５０の路面側から見た変位量を、車線（レーン５３ａ，５３ｂ，５３ｃ，５３ｄ）ごとに区分して表示する表示領域５６ａ，５６ｂ，５６ｃ，５６ｄが、車線（レーン５３ａ，５３ｂ，５３ｃ，５３ｄ）に重ねて描画されている。
【００９１】
図１１に示す画像情報としての画像ＬＰ５では、表示領域５６ａ，５６ｂ，５６ｃ，５６ｄが、加速度検出器１００（図６参照）の取り付けられた位置に相応して設けられており、表示領域５６ａ，５６ｂ，５６ｃ，５６ｄのそれぞれを変位量に基づいて、色分け、色の濃さ、ハッチング模様などによって識別可能に異ならせて表示される。
【００９２】
このような表示例５に係る画像ＬＰ５を用いた表示装置１０では、表示部１６に、加速度検出器１００（図６参照）の取り付けられた位置に相応し、道路面（路面５３（図１参照））側に設けられた表示領域５６ａ，５６ｂ，５６ｃ，５６ｄを視認することにより、管理者（ユーザー）は、橋梁５０の変位を視覚的に捉えることができる。したがって、管理者（ユーザー）による構造物（橋梁５０）の状態の認識を、路面側から行い易くすることができる。
【００９３】
＜表示例６＞
次に、図１２を参照して、表示装置１０に表示される橋梁５０（図６参照）の変位の状態を示す画像情報としての表示例６について説明する。
【００９４】
図１２に示す表示例６に係る画像ＬＰ６では、橋梁５０の一日の変位量を、加速度検出器１００（図６参照）の＃１〜＃４ごとに、折れ線図を用いて時系列に表示している。また、表示部１６には、選択部１２０と、選択された時刻の加速度検出器１００ごとの変位量を絶対値で示すボックス１２３とが設けられている。ボックス１２３に示される変位量は、選択部１２０に設けられている時刻選択用の第２のタグ１２１を矢印１２２の方向に沿って表示部１６の画面に触れながら移動する、所謂表示部１６の画面をなぞることによって移動させ、変位量を表示する時刻として選択し、選択した時刻に応じて、ボックス１２３内に表示される数値が変化して表示される。
【００９５】
なお、表示装置１０に設けられている操作部２１に含まれる操作ボタン２１ａ，２１ｂ，２１ｃなどを操作することにより、例えば変位量の大きな折れ線を拡大表示したり、変位量の大きな時刻の前後を取り出して拡大表示したりしてもよい。また、図示しないが、操作ボタン２１ａに替えて、表示部１６内にタグを設けて、そのタグを操作することによって画面の切り替えを行うこともできる。また、操作ボタン２１ｂもしくは操作ボタン２１ｃを操作して、例えば表示例５の画像ＬＰ５に戻したり、後述する画像ＬＰ７に移行したりすることができる。
【００９６】
このような表示例６に係る画像ＬＰ６を用いた表示装置１０では、表示部１６に、選択した時刻に応じた橋梁５０の状態の画像情報を、時刻選択用の第２のタグ１２１を操作する、所謂時刻選択用の第２のタグ１２１をなぞる（操作する）ことにより、容易に表示することができる。
【００９７】
＜表示例７＞
次に、図１３を参照して、表示装置１０に表示される橋梁５０（図６参照）の変位の状態を示す画像情報としての表示例７について説明する。
【００９８】
図１３に示す表示例７に係る画像ＬＰ７では、橋梁５０の所定の期間における変位量の最大値（Ｍａｘ．）、最小値（Ｍｉｎ．）、および平均値（Ａｖｒ．）を、加速度検出器１００（図６参照）ごとに、数値情報を示す一覧表として表示している。
【００９９】
このような表示例７に係る画像ＬＰ７を用いた表示装置１０では、表示部１６に表示された画像ＬＰ７によって、所定の期間における橋梁５０の変位量の数値情報を一覧表として確認することができる。これにより、管理者（ユーザー）は、構造物（橋梁５０）の状態の認識を容易に行なうことができる。
【０１００】
＜表示例８＞
次に、図１４を参照して、表示装置１０に表示される橋梁５０（図６参照）の変位の状態を示す画像情報としての表示例８について説明する。
【０１０１】
図１４に示す表示例８に係る画像ＬＰ８では、橋梁５０の所定の期間（本例では７日間）の、四つの加速度検出器１００（図６参照）における日にちごとの積算変位量を棒グラフで示している。ここで、図１４中では、設置されているそれぞれの加速度検出器１００を示す記号として、＃１、＃２、＃３、＃４を用いている。
【０１０２】
このような表示例８に係る画像ＬＰ８を用いた表示装置１０では、表示部１６に表示された画像ＬＰ８によって、所定の期間（７日間）における橋梁５０の変位量を、加速度検出器１００の取り付けられている部位ごとの積算変位量として時系列で確認することができる。これにより、管理者（ユーザー）は、構造物（橋梁５０）の状態の認識を容易に行なうことができる。
【０１０３】
＜表示例９＞
次に、図１５を参照して、表示装置１０に表示される橋梁５０（図６参照）の変位の状態を示す画像情報としての表示例９について説明する。
【０１０４】
図１５に示す表示例９に係る画像ＬＰ９では、表示部１６が図中左右に分割された第１の表示画面１６１と第２の表示画面１６２のそれぞれに異なる二つの画像情報を描画する。本例では、左側の第１の表示画面１６１に先の表示例１において説明した画像ＬＰ１ａが表示され、右側の第２の表示画面１６２に先の表示例４において説明した画像ＬＰ４ｂが表示されている。そして、表示装置１０に設けられている操作部２１に含まれる操作ボタン２１ａを操作することにより、例えば画像ＬＰ１ａもしくは画像ＬＰ４ｂのいずれかを表示部１６全体に拡大表示させたり、表示部１６に画像ＬＰ１ａおよび画像ＬＰ４ｂを並べて表示させたりすることができる。なお、図示しないが、操作ボタン２１ａに替えて、表示部１６内にタグを設けて、そのタグを操作することによって画面の切り替えを行うこともできる。なお、画像ＬＰ１ａ、および画像ＬＰ４ｂは、先に説明しているので、ここでの説明は省略する。
【０１０５】
このような表示例９に係る画像ＬＰ９では、表示部１６に、橋梁５０の変位していない状態の実画像である画像ＬＰ１ａと、橋梁５０の変位している状態を示す線表示画像の画像ＬＰ４ｂとを並べて表示させたりすることができる。したがって、管理者（ユーザー）は、実画像と線表示画像とを対比させながら、視覚的に橋梁５０の変位の状況を的確に捉えることが可能となる。
【０１０６】
なお、表示例９では、表示部１６が二つに分割された事例を示したが、表示部１６の分割は、二分割に限らず、表示内容の視認が可能であれば分割数は問われず、三分割、四分割、もしくは五分割以上であってもよい。
【０１０７】
以上、表示例１〜表示例９で説明した描画形態や機能は、上述した構成に限らず、表示例１〜表示例９で説明した描画形態や機能を、種々に組み合わせての画像形態を構成したり、機能を入れ替えたりすることが可能である。
【０１０８】
また、上述の表示例６でも説明したが、表示例１〜表示例９において、表示装置１０に設けられている操作部２１に含まれる操作ボタン２１ａ，２１ｂ，２１ｃなどを操作することにより、例えば表示している画面表示を異なる画面表示に切り替えることができる。また、操作ボタン２１ａ，２１ｂ，２１ｃに替えて、表示部１６内に設けられたタグ（不図示）を操作することによって画面の切り替えを行うこともできる。
【０１０９】
＜表示例１０＞
次に、図１６を参照して、表示部１６に表示される橋梁５０（図６参照）に係る画像の表示例１０について説明する。図１６は、橋梁の変位に係る表示例１０を示す説明図である。
【０１１０】
図１６に示す表示例１０に係る画像は、該当する橋の情報やその橋に取り付けるセンサー（加速度検出器１００）の取付位置情報などを入力する。なお、本例では、二つのセンサーを設置した例を示して説明する。この画像において、例えば、「橋情報」として、橋名「ＡＡ大橋」、および互いに直交するＸ軸、Ｙ軸、Ｚ軸の３方向に沿った橋の幅「９０００ｍｍ」、長さ「３００００ｍｍ」、厚さ「２０００ｍｍ」の各寸法、を入力することができる。さらに、「センサー情報」として、取付られているセンサー（加速度検出器１００）のセンサーナンバーとして、例えば「Ｂ００００７３０」を入力し、そのセンサーの取り付け位置を図中矢印で示す基点（ｘ，ｙ，ｚ＝０，０，０）からのＸ軸、Ｙ軸、Ｚ軸の３方向に沿った距離として入力することができる。これらの入力により、橋梁５０の疑似画像とセンサー（加速度検出器１００）の取付位置を示すマークＰ１，Ｐ２が表示される。
【０１１１】
＜表示例１１＞
次に、図１７を参照して、表示部１６に表示される橋梁５０（図６参照）に係る画像の表示例１１について説明する。図１７は、橋梁の変位に係る表示例１１を示す説明図である。
【０１１２】
図１７に示す表示例１１に係る画像は、該当する橋を選択したり、表示日時を指定したりすることができる画像である。この画像において、例えば、プルダウンによって表示される既入力の「橋情報」から、該当する橋名の「ＡＡ大橋」を選択し、加えて、表示日時を指定することができる。
【０１１３】
＜表示例１２＞
次に、図１８Ａ、図１８Ｂ、および図１８Ｃを参照して、表示部１６に表示される橋梁５０（図６参照）に係る画像の表示例１２について説明する。図１８Ａ、および図１８Ｂは、橋梁の変位に係る表示例１２を示す説明図である。図１８Ｃは、表示例１２の変形例を示す説明図である。
【０１１４】
図１８Ａ、図１８Ｂ、および図１８Ｃに示す表示例１２に係る画像は、選択された橋としての橋梁５０の変位の状態を表示している。この画像では、例えば左側画面のマークＰ１にタッチすることによってセンサー（加速度検出器１００）を指定することができる。そして右側画面には、所定期間内の指定されたセンサー（加速度検出器１００）の移動軌跡が移動線図ＱＬｘとして描画されている。この移動線図ＱＬｘは、Ｘ軸方向に変位を代表例として示しているが、Ｙ軸方向もしくはｚ軸方向に切り替えて表示することも可能である。なお、右側画面には、センサー（加速度検出器１００）の移動軌跡の表示を移動線図ＱＬｘ、もしくは、図１８Ｃに示すような移動点図ＱＤｘのいずれかで選択する切り替えスイッチを設けたり、橋梁５０の接地位置情報として、経度、緯度、標高などを表示したりしてもよい。また、この画像では、画面をスクロールすることにより、図１８Ｂに示すような、変位量の出現頻度をヒストグラムとして表示することができる。図１８Ｂに示すヒストグラムは、スクロールに替えて、画面を切り替えて表示することもできる。
【０１１５】
＜表示例１３＞
次に、図１９を参照して、表示部１６に表示される橋梁５０（図６参照）に係る画像の表示例１３について説明する。図１９は、橋梁の変位に係る表示例１３を示す説明図である。
【０１１６】
図１９に示す表示例１３に係る画像は、図１８Ａに示した左側画面のマークＰ１にタッチすることによって指定されたセンサー（加速度検出器１００）の所定期間内の変位状況を、移動軌跡が移動線図ＱＬｘとして右側画面に描画された画像に加えて、所定期間の一部の期間のセンサー（加速度検出器１００）の変位状態を波形線図Ｈ１として表示している。そして、スクロール線Ｃ１を指示ボタンＴによって移動させ、例えば大きな波形Ｈ２の部分に位置させることによって、この位置におけるセンサー（加速度検出器１００）の具体的な変位量を「センサー情報」として数値情報表示することができる。
【０１１７】
以上説明した第１実施形態に係る構造物監視システム１、および表示装置１０によれば、複数の物理量センサーとしての加速度検出器１００から出力された各々の出力信号に基づいて算出された構造物としての橋梁５０の各部位の変位量に基づいて、橋梁５０の変位を視覚的に認識可能な画像情報を表示装置１０に備えられた表示部１６に表示するので、管理者（ユーザー）は橋梁５０における、例えば変位の大きさや変位の位置などの変位状態を、視認によって客観的に認識し、判断することができる。
【０１１８】
［ヘッドマウントディスプレイ（ＨＭＤ）］
以下、表示装置として用いることができる頭部装着型表示装置（ヘッドマウントディスプレイ）の一例を、図２０Ａおよび図２０Ｂに沿って説明する。図２０Ａは、頭部装着型表示装置（ヘッドマウントディスプレイ：ＨＭＤ）の一例を示す構成図である。図２０Ｂは、頭部装着型表示装置（ヘッドマウントディスプレイ：ＨＭＤ）への表示の一例を示す図である。
【０１１９】
頭部装着型表示装置３００は、図２０Ａに示すように、ユーザーの頭部に装着された状態でユーザーに虚像を視認させる表示部としての画像表示部３２０と、画像表示部３２０を制御する制御装置３１０と、を備える。制御装置３１０は、ユーザーが頭部装着型表示装置３００を操作するコントローラーとしても機能する。画像表示部３２０は、ユーザーの頭部に装着される装着体であり、本実施形態では眼鏡形状のフレーム３０２（本体）を有する。
【０１２０】
なお、制御装置３１０としては、図３Ｂに示した情報端末８０を用いることが可能である。その場合、情報端末８０の操作部（不図示）は、決定キー、表示切替キー、トラックパッド、輝度切替キー、方向キー、およびメニューキーなどとして機能する。また、図２０Ａには、画像表示部３２０と制御装置３１０とが接続部３４０（本体コード３４８、右コード３４２、左コード３４４）を介して接続される例を示したが、画像表示部３２０と制御装置３１０とを無線通信で接続することも可能である。
【０１２１】
フレーム３０２は、右保持部３２１および左保持部３２３を有する。右保持部３２１は、右光学像表示部３２６の他端である端部ＥＲから、ユーザーが画像表示部３２０を装着した際のユーザーの側頭部に対応する位置にかけて、延伸して設けられた部材である。同様に、左保持部３２３は、左光学像表示部３２８の他端である端部ＥＬから、ユーザーが画像表示部３２０を装着した際のユーザーの側頭部に対応する位置にかけて、延伸して設けられた部材である。右保持部３２１はユーザーの頭部において右耳またはその近傍に当接し、左保持部３２３はユーザーの左耳またはその近傍に当接して、ユーザーの頭部に画像表示部３２０を保持する。右保持部３２１および左保持部３２３は、眼鏡のテンプル（つる）のようにして、ユーザーの頭部に画像表示部３２０を保持する。
【０１２２】
本実施形態では本体の一例として、眼鏡型のフレーム３０２を例示する。本体の形状は眼鏡型に限定されず、ユーザーの頭部に装着され固定されるものであればよく、ユーザーの左右の眼の前に跨がって装着される形状であれば、より好ましい。例えば、ここで説明する眼鏡型の他に、ユーザーの顔の上部を覆うスノーゴーグル様の形状であってもよいし、双眼鏡のようにユーザーの左右の眼のそれぞれの前方に配置される形状であってもよい。
【０１２３】
フレーム３０２には、右表示駆動部３２２と、左表示駆動部３２４と、右光学像表示部３２６と、左光学像表示部３２８と、マイク３６３とが設けられる。右表示駆動部３２２と左表示駆動部３２４とは、ユーザーが画像表示部３２０を装着した際のユーザーの頭部に対向する側に配置されている。右光学像表示部３２６および左光学像表示部３２８は、それぞれ、ユーザーが画像表示部３２０を装着した際にユーザーの右および左の眼前に位置する。右光学像表示部３２６の一端と左光学像表示部３２８の一端とは、ユーザーが画像表示部３２０を装着した際のユーザーの眉間に対応する位置で、互いに連結されている。
【０１２４】
頭部装着型表示装置３００では、図２０Ｂに示すように、例えば、橋梁５０の実像に重ねて、橋梁５０に取り付けられた加速度検出器１００の位置に対応するマークＢ１，Ｂ２が、右光学像表示部３２６および左光学像表示部３２８に表示される。
【０１２５】
なお、マークＢ１，Ｂ２は、ユーザー（管理者）の視線の移動に伴って表示を切り替えることができる。例えば、ユーザー（管理者）視線を図中左から右に移動させたときを想定すると、右光学像表示部３２６および左光学像表示部３２８には、先ず視線の先に位置する加速度検出器１００の位置に対応するマークＢ１が表示される。そして、次の加速度検出器１００の位置に視線が移動したとき、次の加速度検出器１００の位置に対応するマークＢ２が表示される。なお、このときマークＢ１は、表示を止めてもよいし、そのまま表示を続けてもよい。
【０１２６】
このように、表示装置として頭部装着型表示装置３００を用いることにより、実像である橋梁５０と虚像であるマークＢ１，Ｂ２とを重ねて表示することができる。加えて、ユーザー（管理者）の視線の移動に伴って表示を切り替えることができることにより、ユーザーの確認したい位置の状態を重点的に確認することができる。
【０１２７】
（第２実施形態）
［構造物監視システム］
先ず、本発明の第２実施形態に係る構造物監視システム１ａについて、図２１、および図２２を参照して説明する。図２１は、第２実施形態に係る構造物監視システムの概略を説明する構成図である。図２２は、第２実施形態に係る構造物監視システムの構成を説明する機能ブロック図である。
【０１２８】
図２１、および図２２に示す第２実施形態に係る構造物監視システム１ａは、第１実施形態と同様に橋梁５０や建物等の構造物に備えられた物理量センサーとしての加速度検出器１００の検出した構造物の変位情報に基づいて、変位状態を表示部１６ａに画像情報として表示し、構造物の状態を監視する機能を備える。なお、本実施形態では、構造物として橋梁５０の状態を監視する例を挙げ、説明する。
【０１２９】
構造物監視システム１ａは、図２１、および図２２に示すように、構造物の一例としての橋梁５０に配置されている複数の物理量センサーとしての加速度検出器１００と、複数の加速度検出器１００から出力された各々の出力信号に基づいて算出された橋梁５０の主桁５１の変位量に基づいて、視覚的に認識可能な画像情報を表示する表示装置１０ａと、を含み構成されている。なお、複数の加速度検出器１００は、橋梁５０の橋脚５５と他の橋脚５５との間の主桁５１もしくは横桁５２に配置されている。また、本形態では、８個の加速度検出器１００（図６参照）が配置されている例を示す。
【０１３０】
物理量センサーとしての加速度検出器１００は、互いに直交する３軸の各軸方向の加速度を検出することができる。加速度検出器１００は、橋梁５０の所定の位置に固定され、それぞれの加速度検出器１００から出力信号を、表示装置１０ａに対して出力することができる。なお、加速度検出器１００は、前述した第１実施形態と同様な構成であるので、その説明を省略する。
【０１３１】
［表示装置］
表示装置１０ａは、複数の加速度検出器１００の各々から出力された出力信号に基づいて、橋梁５０の主桁５１の変位量を算出し、変位量を視覚的に認識可能な画像情報として出力する制御部２０ａと、制御部２０ａに対して表示内容などを指示する操作部１７ａと、制御部２０ａの算出した橋梁５０の主桁５１の変位量に係る画像情報を表示する表示部１６ａと、制御部２０ａの算出した橋梁５０の主桁５１の変位量に係るデータなどを例えばサーバーなどの情報処理装置４０と通信する通信部１９ａと、を備えている。
【０１３２】
制御部２０ａは、受信部１１ａと、算出部１２ａと、生成部１３ａと、処理部１４ａと、記憶部１５ａと、を備えている。制御部２０ａの各機能部は、図示を略した、ＣＰＵやＲＡＭ等のハードウェアと、記憶部１５ａに記録されたソフトウェアと、の協働により実現される機能的構成を示すものであって、具体的な実装形態は特に制限されない。従って、必ずしも各機能部に個別に対応するハードウェアが実装される必要はなく、一つのプロセッサーがプログラムを実行することで複数の機能部の機能を実現する構成とすることも可能である。
【０１３３】
制御部２０ａは、パーソナルコンピューター、タブレットのような多機能携帯端末、スマートフォンのような高機能携帯電話等に構成される。制御部２０ａは、加速度検出器１００から出力される橋梁５０の主桁５１の変位量などの情報を受信し、必要に応じて情報を加工し、表示部１６を用いてユーザーが視認可能な画像情報として表示する。なお、制御部２０ａは、一つの構造物または複数の構造物に設置された複数の加速度検出器１００から情報をそれぞれ受信し、受信した複数の情報を多面的に加工して表示しても良い。
【０１３４】
また、本実施形態に係る構造物監視システム１ａの各部の処理は、記憶部１５ａに記録されているプログラムにより実現することができる。すなわち、本実施形態の手法は、構造物としての橋梁５０に配置されている複数の加速度検出器１００から出力された各々の出力信号に基づいて、橋梁５０の変位量を算出するステップと、橋梁５０の変位量に基づいて、橋梁５０の変位を視覚的に認識可能な画像情報を生成するステップと、画像情報を表示装置１０の表示部１６に表示するステップと、を含む手順に係る処理をコンピューターに実行させるプログラムに適用できる。
【０１３５】
受信部１１ａは、複数の加速度検出器１００、本形態では、８個の加速度検出器１００の各々から出力された出力信号を受信し、算出部１２ａに出力する。
【０１３６】
算出部１２ａは、受信部１１ａの受信した出力信号に基づいて、橋梁５０の主桁５１の変位量を算出し、生成部１３ａや通信部１９ａに出力する。なお、算出部１２ａは、通信部１９ａから情報処理装置４０などの取得した情報を得ることができる。
【０１３７】
生成部１３ａは、算出部１２ａによって算出された橋梁５０の主桁５１の変位量に基づいて、橋梁５０の変位の状態を視覚的に認識可能な画像情報を生成し、処理部１４ａの指示にしたがって、生成された画像情報を表示部１６ａに出力する。
【０１３８】
処理部１４ａは、記憶部１５ａに格納されたプログラムと、操作部１７ａや表示部１６ａの切換部１８ａを介してユーザーが入力した各種のコマンドとに従い各種の処理を行う。処理部１４ａは、操作部１７ａや表示部１６ａの切換部１８ａから入力される画面切り換え指示の有無に基づいて、生成部１３ａの出力する画像情報を制御し、表示部１６ａへ出力する画像情報に係る指示、即ち表示部１６ａに表示する画像内容に係る指示を行う。処理部１４ａは、記憶部１５ａに記録されたプログラムに基づいて動作するプロセッサーを含む。プロセッサーは、例えば各部の機能が個別のハードウェアで実現されてもよいし、あるいは各部の機能が一体のハードウェアで実現されてもよい。プロセッサーは、例えばＣＰＵ（Central Processing Unit）であってもよい。ただしプロセッサーはＣＰＵに限定されるものではなく、ＧＰＵ（Graphics Processing Unit）、あるいはＤＳＰ（Digital Signal Processor）等、各種のプロセッサーを用いることが可能である。またプロセッサーはＡＳＩＣによるハードウェア回路でもよい。
【０１３９】
記憶部１５ａは、フラッシュメモリーやハードディスクのような不揮発性の記録媒体を想定し、例えばＳＲＡＭ（Static Random Access Memory）、ＤＲＡＭ（Dynamic Random Access Memory）などの半導体メモリーであってもよいし、レジスターであってもよいし、ハードディスク装置等の磁気記憶装置であってもよいし、光学ディスク装置等の光学式記憶装置であってもよい。記憶部１５ａは、制御部２０ａが各機能の動作を制御するためのプログラム（例えば、以下に記載する構造物の監視に係るプログラム）や、算出部１２ａによって算出された変位量、および生成部１３ａによって生成された画像情報を記録する。
【０１４０】
記憶部１５ａは、加速度検出器１００から出力された各々の出力信号を、時刻に同期させて記録することができる。これにより、算出部１２ａは、記憶部１５ａに記録されている、時刻に同期された出力信号に基づいて、現在時刻よりも前刻の橋梁５０の状態の変位量を算出する。このような時系列に応じた変位量によって視覚的に認識可能な画像情報が生成され、表示部１６ａに表示されることから、ユーザーは構造物の状態を時系列に沿って客観的に認識し、判断することができる。
【０１４１】
なお、記憶部１５ａは、記録媒体として機能し、コンピューターにより読み取り可能な、構造物の監視に係るプログラムを格納しており、当該プログラムが処理部１４ａにより実行されることで、構造物監視システム１ａの各部の機能が実現されることになる。具体的に、記憶部１５ａは、構造物としての橋梁５０に配置されている複数の加速度検出器１００から出力された各々の出力信号に基づいて、橋梁５０の変位量を算出するステップと、橋梁５０の変位量に基づいて、橋梁５０の変位を視覚的に認識可能な画像情報を生成するステップと、画像情報を表示するステップと、を含む手順を含む処理をコンピューターに実行させるプログラムを記録している。
【０１４２】
操作部１７ａは、例えばボタン、キー、マイク、タッチパネル、音声認識機能（不図示のマイクロフォンを利用）、アクション検出機能（加速度センサーなどを利用）などで構成され、ユーザーからの指示を適当な信号に変換して処理部１４ａへ送る処理を行うことができる。
【０１４３】
表示部１６ａは、複数の加速度検出器１００の各々から出力された出力信号に基づいて制御部２０ａによって算出、生成され、制御部２０ａから出力された橋梁５０の主桁５１の変位量を視覚的に認識可能な画像情報として表示することができる。表示部１６ａは、表示内容を切り替えることができる切換部１８ａを備えている。なお、表示方法、および表示例については、前述の第１実施形態と同様であるので、ここでの説明は省略する。
【０１４４】
表示部１６ａは、例えばＬＣＤ（Liquid Crystal Display）、有機ＥＬ（Electroluminescence）ディスプレイ、ＥＰＤ（Electrophoretic Display）、タッチパネル型ディスプレイ等で構成される。表示部１６ａは、制御部２０ａからの指示により生成部１３ａから出力された画像情報に基づき、橋梁５０の主桁５１の変位量を視覚的に認識可能な画像として表示する。
【０１４５】
切換部１８ａは、例えば操作部２１（図８参照）、タッチパネルのタグ（図８参照）などで構成され、ユーザーからの指示を適当な信号に変換して処理部１４ａへ送る処理を行うことができる。ユーザーは、操作部２１を操作したり、もしくはタッチパネルのタグなどに触れたりすることにより、表示部１６ａの表示画面を次画面に送ったり元画面に戻したりする切り替えを行ったり、表示内容を選択したりするなどの表示指示を行うことができる。
【０１４６】
通信部１９ａは、制御部２０ａから出力される種々の情報を通信を介して情報処理装置４０に送信したり、情報処理装置４０から出力される種々の情報を通信を介して受信したりすることができる。通信部１９ａは、例えば、Bluetooth（登録商標）（BTLE：Bluetooth Low Energyを含む）、Ｗｉ−Ｆｉ（登録商標）（Wi-Fi:Wireless Fidelity）、Ｚｉｇｂｅｅ（登録商標）、ＮＦＣ（Near field communication）、ＡＮＴ＋（登録商標）等の近距離無線通信規格に対応した送受信機を含んで構成される。
【０１４７】
このような表示装置１０ａによれば、複数の加速度検出器１００から出力された各々の出力信号に基づいて算出された構造物としての橋梁５０の変位量に基づいて、橋梁５０の変位の状態を視覚的に認識可能な画像情報を表示部１６ａに表示するので、管理者（ユーザー）は橋梁５０の状態を、視認によって客観的に認識し、判断することができる。
【０１４８】
以上説明した第２実施形態に係る構造物監視システム１ａ、および表示装置１０ａによれば、複数の物理量センサーとしての加速度検出器１００から出力された各々の出力信号に基づいて算出された構造物としての橋梁５０の各部位の変位量に基づいて、橋梁５０における、例えば変位の大きさや変位の位置などの変位状態を視覚的に認識可能な画像情報を表示装置１０ａに備えられた表示部１６ａに表示するので、管理者（ユーザー）は橋梁５０の状態を、視認によって客観的に認識し、判断することができる。
【０１４９】
以下に、上述した実施形態から導き出される態様を記載する。
【０１５０】
［態様１］本態様に係る表示装置は、構造物に配置されている物理量センサーから出力された出力信号に基づいて算出された前記構造物の変位量に基づいて、前記構造物の変位を視覚的に認識可能な画像情報として表示部に表示する。
【０１５１】
本態様に係る表示装置によれば、物理量センサーから出力された出力信号に基づいて算出された構造物の変位量に基づいて、構造物の変位を視覚的に認識可能な画像情報を表示部に表示することができる。これにより、管理者（ユーザー）は、構造物の変位の状態を、視認によって客観的に認識し、判断することができる。
【０１５２】
［態様２］上記態様に記載の表示装置において、前記画像情報は、前記変位量の変化に基づいて変化し、変化した前記画像情報は、色、ハッチング、線、点、丸、数値、記号、軌跡、グラフ、ヒストグラム、および波形の少なくとも何れかを用いて表示されることが好ましい。
【０１５３】
本態様によれば、構造物の変位量の変化に基づいて変化した画像情報が、色、ハッチング、線、点、丸、数値、記号、軌跡、グラフ、ヒストグラム、および波形の少なくとも何れかを用いて表示されるので、管理者（ユーザー）による構造物の状態の認識を行い易くすることができる。ここで、線には、線の色、線の種類、線の太さ、線の長さなどを含み、点、丸、および記号には、色、形態または大きさなどを含む。
【０１５４】
［態様３］上記態様に記載の表示装置において、前記構造物の変位量は、前記出力信号に基づいて算出された変位量の相対値であることが好ましい。
【０１５５】
本態様によれば、物理量センサーから算出された変位量の相対値によって、物理量センサーの配置されている構造物のそれぞれの部位の変位量が示されることから、管理者（ユーザー）は、構造物の異なる部位に係る変位の大きさの比較を容易に認識することができる。
【０１５６】
［態様４］上記態様に記載の表示装置において、前記構造物に係るモデル画像を表示し、前記画像情報は、前記モデル画像に重ねて、または前記モデル画像と並べて表示されていることが好ましい。
【０１５７】
本態様によれば、構造物に対応するモデル画像に、画像情報を重ねて、またはモデル画像と並べて表示することにより、管理者（ユーザー）は、構造物のそれぞれの部位に対する画像情報を一見で認識することができる。
【０１５８】
［態様５］上記態様に記載の表示装置において、前記物理量センサーは、複数配置され、前記画像情報は、前記複数の物理量センサーのうち、隣り合う前記物理量センサー同士を結んでいる線分を複数含む線表示画像であることが好ましい。
【０１５９】
本態様によれば、構造物の変位や変位量を、隣り合う物理量センサー同士を結んでいる線分の傾きの変化、もしくは線分の長さや向きの変化で視認することができることから、管理者（ユーザー）による構造物の状態の認識をより行い易くすることができる。
【０１６０】
［態様６］上記態様に記載の表示装置において、前記線表示画像は、前記表示部に配置されている第１のタグを操作すると、表示角度が変化することが好ましい。
【０１６１】
本態様によれば、第１のタグを操作することによって、線表示画像の角度を変化させる、即ち、管理者（ユーザー）の視認する方向を変化させた表示を行うことができ、管理者（ユーザー）による構造物の状態の認識をより行い易くすることができる。
【０１６２】
［態様７］上記態様に記載の表示装置において、記憶部を含み、前記出力信号は、時刻情報と共に、前記記憶部に記録されていることが好ましい。
【０１６３】
本態様によれば、記憶部に記録されている、時刻情報に同期された出力信号に基づいて、現在時刻よりも前刻の構造物の状態を知ることができ、管理者（ユーザー）は構造物の状態を時系列に沿って客観的に認識し、判断することができる。
【０１６４】
［態様８］上記態様に記載の表示装置において、前記表示部に表示されている時刻選択用の第２のタグを操作することにより、選択した時刻に応じた前記画像情報が表示されることが好ましい。
【０１６５】
本態様によれば、選択した時刻に応じた構造物の状態の画像情報を、時刻選択用の第２のタグを操作することにより、容易に表示することができる。
【０１６６】
［態様９］上記態様に記載の表示装置において、前記構造物に配置されている重量測定部が測定した車両の重量に基づいて、予め設定された過積載基準値を超えていると判断した場合、過積載に係る情報を前記表示部に表示することが好ましい。
【０１６７】
本態様によれば、表示部に表示されている構造物の状態を示す画像情報に加えて、過積載に係る情報が示されることから、管理者（ユーザー）は構造物の状態と過積載に係る情報とを一見で確認することができる。
【０１６８】
［態様１０］本態様に係る構造物の表示方法は、構造物に配置されている物理量センサーから出力された出力信号に基づいて、前記構造物の変位量を算出するステップと、算出した前記構造物の変位量に基づいて、前記構造物の変位を視覚的に認識可能な画像情報として生成するステップと、生成した前記画像情報を表示するステップと、を含む。
【０１６９】
本態様に係る表示方法によれば、物理量センサーから出力された出力信号に基づいて算出された構造物の変位量に基づいて、構造物の変位を視覚的に認識可能な画像情報を生成し、その画像情報を表示するので、管理者（ユーザー）は構造物の状態を、視認によって客観的に認識し、判断することができる。
【０１７０】
［態様１１］上記態様に記載の表示方法において、前記画像情報を生成するステップは、前記変位量の変化に基づいて変化した画像情報を、色、ハッチング、線、点、丸、数値、記号、軌跡、グラフ、ヒストグラム、および波形の少なくとも何れかを用いて生成することが好ましい。
【０１７１】
本態様によれば、画像情報を生成するステップにおいて、構造物の変位量の変化に基づいて変化した画像情報を、色、ハッチング、線、点、丸、数値、記号、軌跡、グラフ、ヒストグラム、および波形の少なくとも何れかを用いて生成するので、表示された画像により情報管理者（ユーザー）は、構造物の状態を認識し易くなる。
【０１７２】
［態様１２］本態様に係るプログラムは、構造物に配置されている物理量センサーから出力された出力信号に基づいて、前記構造物の変位量を算出するステップと、前記構造物の変位量に基づいて、前記構造物の変位を視覚的に認識可能な画像情報として生成するステップと、前記画像情報を表示するステップと、をコンピューターに実行させる。
【０１７３】
本態様によれば、構造物に配置されている物理量センサーから出力された出力信号に基づいて、構造物の変位量を算出し、算出された構造物の変位量に基づいて、構造物の変位を視覚的に認識可能な画像情報を生成し、その画像情報を表示する手順をコンピューターに実行させるプログラムを提供することができる。
【０１７４】
［態様１３］本態様に係る記録媒体は、構造物に配置されている物理量センサーから出力された出力信号に基づいて、前記構造物の変位量を算出するステップと、前記構造物の変位量に基づいて、前記構造物の変位を視覚的に認識可能な画像情報として生成するステップと、前記画像情報を表示するステップと、をコンピューターに実行させるプログラムを記録している。
【０１７５】
本態様によれば、構造物に配置されている物理量センサーから出力された出力信号に基づいて、構造物の変位量を算出し、算出された構造物の変位量に基づいて、構造物の変位を視覚的に認識可能な画像情報を生成し、その画像情報を表示する手順をコンピューターに実行させるプログラムを記録している記録媒体を提供することができる。
【０１７６】
［態様１４］本態様に係る構造物監視システムは、構造物に配置されている物理量センサーと、前記物理量センサーから出力された出力信号に基づいて、前記構造物の変位量を算出する算出部と、前記構造物の変位量に基づいて、前記構造物の変位を視覚的に認識可能な画像情報として生成する生成部と、前記画像情報を表示する、上記態様１ないし態様９のいずれか一態様に記載の表示装置と、を含む。
【０１７７】
本態様によれば、構造物に配置されている物理量センサーと、物理量センサーから出力された出力信号に基づいて構造物の変位量を算出する算出部、構造物の変位量に基づいて、構造物の変位を視覚的に認識可能な画像情報を生成する生成部、画像情報を表示する表示部を含む表示装置とを備えることにより、管理者（ユーザー）が、構造物の変位の状態を、視認によって客観的に認識し、判断することができる構造物監視システムを提供することができる。
【０１７８】
［態様１５］本態様に係る構造物監視システムは、構造物に配置されている物理量センサーと、前記物理量センサーから出力された出力信号に基づいて算出された前記構造物の変位量に基づいて、前記構造物の変位を視覚的に認識可能な画像情報として表示する表示装置と、を備え、前記表示装置は、前記物理量センサーから出力された出力信号を受信する受信部と、受信した前記出力信号に基づいて、前記構造物の変位量を算出する算出部と、前記構造物の変位量に基づいて、前記構造物の変位を視覚的に認識可能な画像情報として生成する生成部と、前記画像情報を表示する表示部と、を含む。
【０１７９】
本態様によれば、構造物に配置されている物理量センサーと、物理量センサーから出力された出力信号を受信する受信部、受信された出力信号に基づいて構造物の変位量を算出する算出部、構造物の変位量に基づいて、構造物の変位を視覚的に認識可能な画像情報を生成する生成部、画像情報を表示する表示部とを備えることにより、管理者（ユーザー）が、構造物の変位の状態を、視認によって客観的に認識し、判断することができる構造物監視システムを提供することができる。
【符号の説明】
【０１８０】
１，１ａ…構造物監視システム、１０，１０ａ…表示装置、１１…受信部、１２…算出部、１３…生成部、１４…処理部、１５…記憶部、１６…表示部、１７…操作部、１８…切換部、１９…通信部、２０…制御部、２１…操作部、２１ａ，２１ｂ，２１ｃ，２１ｄ…操作ボタン、２２…第１の数値表示部、２３ａ，２３ｂ…ボックス、２４…第２の数値表示部、２５ａ，２５ｂ，２５ｃ…ボックス、２６ａ，２６ｂ…第１のタグ、３０…制御装置、３５…制御盤、４０…情報処理装置、５０…橋梁、５１…主桁、５１ａ…第１主桁、５１ｂ…第２主桁、５１ｃ…第３主桁、５１ｄ…第４主桁、５２…横桁、５３…路面、５３ａ，５３ｂ，５３ｃ，５３ｄ…レーン、５４…裏面、５５…橋脚、５６ａ，５６ｂ，５６ｃ，５６ｄ…表示領域、６０…携帯型電子機器（ウェアラブル機器）、６１…表示部、７０…パーソナルコンピューター、７１…ディスプレイ、８０…情報端末、８１…表示部、１００…加速度検出器、１００ａ，１００ｂ，１００ｃ，１００ｄ，１００ｅ，１００ｆ，１００ｇ，１００ｈ…丸印、１０１…加速度検出素子、１０３…加速度検出デバイス、１１０…表示パネル、１２０…選択部、１２１…第２のタグ、１２２…矢印、１２３…ボックス、１６１…第１の表示画面、１６２…第２の表示画面、２００…加速度センサー、３００…頭部装着型表示装置（ＨＭＤ）、Ｂ１，Ｂ２…マーク、Ｌ１〜Ｌ９…線分、Ｌ１０，Ｌ１１…矩形形状の外形線、Ｌ２０…基準枠、ＬＰ１ａ，ＬＰ１ｂ，ＬＰ２，ＬＰ３，ＬＰ４ａ，ＬＰ４ｂ，ＬＰ５，ＬＰ６，ＬＰ７，ＬＰ８，ＬＰ９…画像。
【図１】
2019215203.tif 000003
【図２】
2019215203.tif 000004
【図３Ａ】
2019215203.tif 000005
【図３Ｂ】
2019215203.tif 000006
【図４】
2019215203.tif 000007
【図５】
2019215203.tif 000008
【図６】
2019215203.tif 000009
【図７Ａ】
2019215203.tif 000010
【図７Ｂ】
2019215203.tif 000011
【図８】
2019215203.tif 000012
【図９】
2019215203.tif 000013
【図１０】
2019215203.tif 000014
【図１１】
2019215203.tif 000015
【図１２】
2019215203.tif 000016
【図１３】
2019215203.tif 000017
【図１４】
2019215203.tif 000018
【図１５】
2019215203.tif 000019
【図１６】
2019215203.tif 000020
【図１７】
2019215203.tif 000021
【図１８Ａ】
2019215203.tif 000022
【図１８Ｂ】
2019215203.tif 000023
【図１８Ｃ】
2019215203.tif 000024
【図１９】
2019215203.tif 000025
【図２０Ａ】
2019215203.tif 000026
【図２０Ｂ】
2019215203.tif 000027
【図２１】
2019215203.tif 000028
【図２２】
2019215203.tif 000029